【事件の表示】
　平成　８年特許願第２６３２３９号「データ入力装置」拒絶査定に対する審判事件［平成１０年　４月２８日出願公開、特開平１０−１１１７４０］について、次のとおり審決する。
【結　論】
　本件審判の請求は、成り立たない。
【理　由】
１．手続の経緯、本願発明
　本願は、平成８年１０月３日の出願であって、その請求項１に係る発明は、平成１１年６月２２日付け手続補正書によって補正された明細書及び図面の記載からみて、その特許請求の範囲の請求項１に記載された次のとおりのものと認める（以下、「本願発明」という）。
　「携帯可能な情報処理装置と一体化されたデータ入力装置において、ＸＹ座標によって加圧点を認識してその位置信号を出力する大型スライドパッド部と、前記位置信号の変換方法を切り替える切り替えスイッチ部と、該切り替えスイッチ部からの電気信号に応答して、前記位置信号をスライドパッドとしてのデータ入力信号、又はキーボードとしてのデータ入力信号のいずれかに変換する信号変換部とを有することを特徴とするデータ入力装置。」
　
２．引用例
　これに対して、原査定の拒絶の理由において引用された特開平６−１８７０９０号公報（以下、「引用例」という。）には、以下の事項が記載されている。
　「【技術分野】
　本発明は、図形入力装置に関し、より詳細には、コンピュータに図形等を入力するための図形入力装置に関する。例えば、ＣＡＤ（Computer Aided Design）等コンピュータに図形データを入力する装置に適用できるものである。」（段落番号【０００１】）、
　「本発明は、上述のごとき実情に鑑みなされたもので、スタイラスペンとタブレットによる図形入力装置において、文字入力機能を付加することにより作図作業を効率良く行える図形入力装置を提供することを目的としてなされたものである。」（段落番号【０００４】）、
　「図１は、本発明による図形入力装置の一実施例（実施例１）を説明するための構成図で、図中、１はキーボード用コネクタ、２はタブレット用コネクタ、３はスタイラスペン、４はタブレット本体、５は切替スイッチ、６は特殊キー、７は作図時の有効領域、８はキー表示領域である。基本的な機能は、通常のスタイラスペン３を用いるタブレットと違いは無いが、出力として通常のタブレットの出力の他にキーコードを出力するキーボード用のコネクタ１も装備している。タブレット本体４の上図形にはキーボード配置が印刷されており、文字入力時には印刷されたキー配置の所望のキーの部分をスタイラスペン３でポイントすることによってキー入力が実行できる。」（段落番号【０００６】）、
　「本発明の実施例では、タブレットの上図形の作図時の有効領域７の外側に、[ESC]，[CTRL]，[CAP]，[カナ]，[GRPH]，[SHIFT]のキーを配置し、これらのキーを押しながら印刷されたキーをスタイラスペン３でポイントすることによって、通常のキーボードから送出されるコードのほとんど全てを送出することが可能である。本発明の実施例では[HELP]，[HOME]、及び各種のファンクションキーは設定していない。図形入力と文字入力（キー入力）の切替は、タブレット本体４の上図形に設置した切替スイッチ５で行なう。図形入力時の動作は、通常のタブレットとスタイラスペン３による入力とまったく同様であり、この場合のデータはタブレット用コネクタ２へ出力される。」（段落番号【０００７】）、
　「本発明において特徴的なのは文字入力時の動作であり、その動作は以下のようになる。入力モード切替スイッチ５を文字入力（キー入力）にすると、スタイラスペン３でポイントされたタブレット上の位置情報はタブレット本体４に内蔵されているエンコーダに送られ、該エンコーダによってポイントした位置のキー表示および、特殊キー６の押されている状況に応じたキーコードを生成してキーボード用コネクタ１の方へ出力する。以上のように本発明の実施例では、図形入力用のスタイラスペン３を持ち換えることなく、該スタイラスペン３を用いて文字入力をすることが可能なコンピュータ用入力装置を実現することができる。」（段落番号【０００８】）、
　と記載されている。
　これらの記載事項からみて、引用例の発明も、ＣＡＤ等コンピュータに図形データや文字データを入力するものであり、情報処理装置と一体化されたデータ入力装置と認められる。
　また、一般に、タブレットは加圧した点、即ちポインティングされた点の位置情報を検知するものであり、段落番号【０００７】には、「図形入力時の動作は、通常のタブレットとスタイラスペン３による入力とまったく同様であり、この場合のデータはタブレット用コネクタ２へ出力される」と記載され、また段落番号【０００８】には、「文字入力時の動作であり、その動作は以下のようになる。　入力モード切替スイッチ５を文字入力（キー入力）にすると、スタイラスペン３でポイントされたタブレット上の位置情報はタブレット本体４に内蔵されているエンコーダに送られ、該エンコーダによってポイントした位置のキー表示および、特殊キー６の押されている状況に応じたキーコードを生成してキーボード用コネクタ１の方へ出力する」と記載されていることからして、引用例の発明は、タブレットでポインティングされた位置情報を、図形入力の場合はそのまま使い、文字入力時にはエンコーダでエンコードするものであり、その切り替えは切替スイッチによって行われるものである。
　そうすると、引用例には以下のような発明が記載されている。
　情報処理装置と一体化されたデータ入力装置において、ＸＹ座標によって加圧点を認識してその位置信号を出力するタブレット本体と、前記位置信号の変換方法を切り替える切替スイッチと、該切替スイッチからの電気信号に応答して、前記位置信号をそのままタブレットとしてのデータ入力信号、又はエンコーダで変換されたキーボードとしてのデータ入力信号のいずれかにすることを特徴とするデータ入力装置。
　
３．対比
　ここで本願発明と引用例の発明とを対比する。
　引用例の発明の「タブレット本体」、「位置信号の変換方法を切り替える切替スイッチ」は、それぞれ、本願発明の「大型スライドパット部」、「位置信号の変換方法を切り替える切り替えスイッチ部」に相当する。また引用例の発明では、切替スイッチからの電気信号に応答して、前記位置信号をそのままタブレットとしてのデータ入力信号、又はエンコーダで変換されたキーボードとしてのデータ入力信号のいずれかにしているが、この機能は、「切り替えスイッチ部からの電気信号に応答して、前記位置信号をスライドパッドとしてのデータ入力信号、又はキーボードとしてのデータ入力信号のいずれかに変換する」という本願発明の「信号変換部」の機能に相当する。
そうすると、本願発明と引用例の発明とは、
　情報処理装置と一体化されたデータ入力装置において、ＸＹ座標によって加圧点を認識してその位置信号を出力する大型スライドパッド部と、前記位置信号の変換方法を切り替える切り替えスイッチ部と、該切り替えスイッチ部からの電気信号に応答して、前記位置信号をスライドパッドとしてのデータ入力信号、又はキーボードとしてのデータ入力信号のいずれかに変換する信号変換部とを有することを特徴とするデータ入力装置
　で一致し、以下の点で相違する。
　本願発明のデータ入力装置は、携帯可能な情報処理装置におけるものであるのに対し、引用例の発明は、携帯可能な情報処理装置におけるものであるかどうかは不明である点。
　
４．判断
　上記相違点について検討する。
　携帯可能な情報処理装置は本願出願前周知な技術事項であり、引用例の発明を携帯可能な情報処理装置に適用することは、当業者が容易になし得ることと認められ、そのようにする作用効果も当業者が容易に想到し得る程度のものである。
　
５．結論
　したがって、本願発明は、引用例の発明に基づいて当業者が容易に発明をすることができたものと認められ、特許法第２９条第２項の規定により特許を受けることができない。
　よって、結論のとおり審決する。